(57)【要約】【課題】オフセット画像の発生を抑制することが可能な搬送ガイド及びそれを用いた画像形成装置を提供すること。【解決手段】  感光体ドラム上にトナー画像を形成する複数の画像形成部と、トナー画像をシートに転写するための複数の転写ローラと、トナー画像が転写されたシートを搬送するための転写ベルト１０と、転写ベルト１０によって搬送されてくる用紙にトナー画像を定着するための定着部１１と、転写ベルト１０と定着部１１の間に設けられた搬送ガイドとを備え、搬送ガイドは、搬送されてくる用紙を、定着部１１へ導くエントランス下ガイド１７と、搬送されてくる用紙に接触して電荷を除去するために、エントランス下ガイド１７の下流側の端に設けられている除電ブラシ２０とを有する、複写機である。【選択図】図３
2008209699.tif 000002
【特許請求の範囲】
【請求項１】
トナー画像が転写され、搬送されてくるシートを、前記トナー画像を定着するための定着部へ導くガイド部と、
前記搬送されてくるシートに接触して電荷を除去するために、前記ガイド部材の下流側の端に設けられている除電部材とを備えた、搬送ガイド。
【請求項２】
前記除電部材は、前記ガイド部材の下流端から突出するように、前記ガイド部材の幅方向に渡って配置された複数の導電性の繊維を有するブラシである、請求項１記載の搬送ガイド。
【請求項３】
前記除電部材は、前記ガイド部材の下流端から突出するように、前記ガイド部材の幅方向に渡って配置された導電性のシート状部材である、請求項１記載の搬送ガイド。
【請求項４】
前記除電部材は、前記ガイド部材の前記シートが搬送される面の反対側の面に設けられている、請求項１記載の搬送ガイド。
【請求項５】
前記除電部材は、前記ガイド部に導電性のテープによって固定されており、前記導電性のテープが前記定着部の金属製のフレームと接触することによって接地されている、請求項４記載の搬送ガイド。
【請求項６】
前記除電部材は、前記定着部のニップ部近傍に、前記搬送されてくるシートと接触するように配置されている、請求項１記載の搬送ガイド。
【請求項７】
像担持体上にトナー画像を形成する１つ又は複数の画像形成部と、
前記トナー画像をシートに転写するための、前記画像形成部に対応した転写部と、
前記トナー画像が転写されたシートを搬送するためのベルトと、
前記ベルトによって搬送されてくるシートに前記トナー画像を定着するための定着部と、
前記ベルトと前記定着部の間に設けられた請求項１記載の搬送ガイドとを備えた、画像形成装置。
【請求項８】
前記複数の画像形成部は、マゼンダ、シアン、イエロー及びブラックのトナー画像を各々の像担持体上に形成するために、用紙の搬送方向に沿って配置された４つの画像形成部であり、
前記転写部は、前記４つの画像形成部の各々の前記像担持体を押圧するように配置された４つの転写ローラであり、
前記ベルトは、４組の前記像担持体と前記転写ローラの間を通すように前記４つの転写ローラに捲き掛けられた転写ベルトである、請求項７記載の画像形成装置。
【発明の詳細な説明】
【技術分野】
【０００１】
本発明は、トナー像が転写された用紙を定着部に導くための搬送ガイド及びそれを用いた画像形成装置に関する。
【背景技術】
【０００２】
近年、画像形成装置として、例えばタンデム型のフルカラー複写機などが用いられている。このようなタンデム型のカラー複写機は、用紙の搬送方向に沿ってマゼンダ、イエロー、シアン、ブラックの４つの画像形成部を備えており、搬送されてくる用紙に各色のトナーが重ねられて画像が形成されるものである（例えば、特許文献１参照。）。
【０００３】
このカラー複写機では、各画像形成部の感光体ドラムと転写ローラの間に転写ベルトが設けられており、用紙は転写ベルト上を搬送され、各色の画像形成部の感光体ドラムと各色の転写ローラの間を用紙が順に通過するに従って、各色のトナー画像が用紙上に転写される。そして、定着部にて、用紙は、その表面にトナー画像が定着され、装置外に排出される。
【特許文献１】特開２０００−１８１２４５号公報
【発明の開示】
【発明が解決しようとする課題】
【０００４】
上述の画像形成装置において、メーカー指定の用紙を用いた場合には、用紙に形成された画像の仕上がり状態は何ら問題ない状態となる。
【０００５】
しかしながら、一部のユーザーにおいて、夏場は問題ないものの冬場に、特殊な用紙を用いた条件の下、定着ローラピッチのオフセット画像が発生する場合があった。この特殊な用紙とは、通常指定されている用紙の約３０倍の電気抵抗値を持つ用紙であり、例えば、古紙等が挙げられる。
【０００６】
このようなオフセット画像は、トナーの乗り量が多いカラー印刷の場合の方が、モノクロ印刷の場合と比較して発生しやすいと考えられるが、モノクロの場合でも、同様のオフセット画像が発生する可能性はある。
【０００７】
本発明の目的は、従来の画像形成装置の課題を考慮して、オフセット画像の発生を抑制することが可能な搬送ガイド及びそれを用いた画像形成装置を提供することである。
【課題を解決するための手段】
【０００８】
上記目的を達成するために、第１の本発明は、
トナー画像が転写され、搬送されてくるシートを、前記トナー画像を定着するための定着部へ導くガイド部と、
前記搬送されてくるシートに接触して電荷を除去するために、前記ガイド部材の下流側の端に設けられている除電部材とを備えた、搬送ガイドである。
【０００９】
又、第２の本発明は、
前記除電部材は、前記ガイド部材の下流端から突出するように、前記ガイド部材の幅方向に渡って配置された複数の導電性の繊維を有するブラシである、第１の本発明の搬送ガイドである。
【００１０】
又、第３の本発明は、
前記除電部材は、前記ガイド部材の下流端から突出するように、前記ガイド部材の幅方向に渡って配置された導電性のシート状部材である、第１の本発明の搬送ガイドである。
【００１１】
又、第４の本発明は、
前記除電部材は、前記ガイド部材の前記シートが搬送される面の反対側の面に設けられている、第１の本発明の搬送ガイドである。
【００１２】
又、第５の本発明は、
前記除電部材は、前記ガイド部に導電性のテープによって固定されており、前記導電性のテープが前記定着部の金属製のフレームと接触することによって接地されている、第４の本発明の搬送ガイドである。
【００１３】
又、第６の本発明は、
前記除電部材は、前記定着部のニップ部近傍に、前記搬送されてくるシートと接触するように配置されている、第１の本発明の搬送ガイドである。
【００１４】
又、第７の本発明は、
像担持体上にトナー画像を形成する１つ又は複数の画像形成部と、
前記トナー画像をシートに転写するための、前記画像形成部に対応した転写部と、
前記トナー画像が転写されたシートを搬送するためのベルトと、
前記ベルトによって搬送されてくるシートに前記トナー画像を定着するための定着部と、
前記ベルトと前記定着部の間に設けられた第１の本発明の搬送ガイドとを備えた、画像形成装置である。
【００１５】
又、第８の本発明は、
前記複数の画像形成部は、マゼンダ、シアン、イエロー及びブラックのトナー画像を各々の像担持体上に形成するために、用紙の搬送方向に沿って配置された４つの画像形成部であり、
前記複数の転写部は、前記４つの画像形成部の各々の前記像担持体を押圧するように配置された４つの転写ローラであり、
前記ベルトは、４組の前記像担持体と前記転写ローラの間を通すように前記４つの転写ローラに捲き掛けられた転写ベルトである、第７の本発明の画像形成装置である。
【発明の効果】
【００１６】
本発明によれば、オフセット画像の発生を抑制することが可能な搬送ガイド及びそれを用いた画像形成装置を提供することが出来る。
【発明を実施するための最良の形態】
【００１７】
以下に、本発明にかかる画像形成装置の一例としての複写機について、図面を参照しながら説明するとともに、本発明の搬送ガイドの一例について述べる。
【００１８】
（実施の形態１）
図１は、本発明にかかる実施の形態１の複写機１の外観図である。図１に示すように、本実施の形態の複写機１は、その本体２の上方に、露光ランプ、レンズ、ミラー等により原稿の画像を読み取る原稿読み取り部３を備えている。又、本体２の上面に、画像が形成された用紙が排出される排出トレイ４が設けられている。
【００１９】
図２は、本実施の形態１の複写機１の本体２の正面断面図である。図２に示すように、本体２の底部に、本発明のシートの一例である用紙を収納するための給紙カセット５が設けられている。また、本実施の形態１の複写機１は、マゼンダ画像形成部６、シアン画像形成部７、イエロー画像形成部８及びブラック画像形成部９を備えている。これら各画像形成部の感光体ドラムと、感光体ドラムを押圧するように配置されている転写ローラとの間を通すように、転写ベルト１０が後述する各色の転写ローラ２６、２７、２８、２９に捲き掛けられている。
【００２０】
この転写ベルト１０の下流側には、用紙に転写されたトナー画像を定着するための定着部１１が設けられている。又、定着部１１から排出された用紙は、排出口１４から排出トレイ４上に排出される。尚、図中示されている矢印は、給紙カセット５から排出トレイ４まで搬送される場合の用紙の搬送経路を示している。
【００２１】
図２に示すように、マゼンダ画像形成部６は、本発明の像担持体の一例である感光体ドラム６０、帯電器６１、現像器６２、及びクリーニングユニット６３等から構成されている。又、露光器によって感光体ドラム６０の表面が露光される部分が、矢印６４によって示されている。尚、他の画像形成部７、８、９も同様の構成であるため、説明は省略する。
【００２２】
このようなマゼンダ画像形成部６の感光体ドラム６０を、転写ベルト１０を介して押圧するように、本発明の転写部の一例である転写ローラ２６が設けられている。同様に、転写ベルト１０を介して、シアン画像形成部７の感光体ドラム７０を押圧するように転写ローラ２７が設けられ、イエロー画像形成部８の感光体ドラム８０を押圧するように転写ローラ２８が設けられ、ブラック画像形成部９の感光体ドラム９０を押圧するように転写ローラ２９が設けられている。
【００２３】
又、上述した転写ベルト１０は、表面がフッ素樹脂加工（テフロン（登録商標）によってコーティング）されている。又、上述したように、転写ローラ２６、２７、２８、２９に捲き掛けられている転写ベルト１０の内側であって、用紙の搬送方向を基準にして転写ローラ２９の下流側には、転写ベルト１０を駆動する駆動ローラ１０１が設けられており、転写ローラ２６の上流側にはローラ１０２が設けられている。更に、転写ベルト１０の回転方向を基準にして、転写ベルト１０の内側であってローラ１０２の上流側且つ駆動ローラ１０１の下流側には、テンションローラ１０３及びローラ１０４、１０５が配置されている。
【００２４】
次に、用紙の搬送方向を基準として転写ベルト１０の下流端（駆動ローラ１０１付近）から定着部１１近傍の構造について説明する。
【００２５】
図３は、駆動ローラ１０１から定着部１１近傍の構成を示す図である。尚、図３には、定着部１１を通過している用紙Ｐが示されている。図３に示すように、定着部１１は、内部にヒーターを有する定着上ローラ１２及び定着下ローラ１３を有しており、この定着上ローラ１２及び定着下ローラ１３の表面は、フッ素樹脂加工またはフッ素樹脂のチューブによって被覆されている。
【００２６】
定着上ローラ１２及び定着下ローラ１３は、定着上ローラ１２の上部に設けられている上カバー１１１によって覆われている。又、定着上ローラ１２と定着下ローラ１３のニップ部Ｎの入り口上方には、エントランス上ガイド１６が設けられている。更に、ニップ部Ｎの入り口下方には、エントランス下ガイド１７が設けられている。エントランス下ガイド１７と駆動ローラ１０１の間にあるフレーム１８の表面には、導電性フィルム１９が張り付けられている。
【００２７】
又、本発明のガイド部材の一例であるエントランス下ガイド１７は、定着下ローラ１３を下方から囲うように形成されている定着下ローラフレーム１１２に取り付けられている。又、エントランス下ガイド１７の下流側の端には、本発明の除電部材の一例である除電ブラシ２０が設けられている。尚、本発明の搬送ガイドの一例は、本実施の形態のエントランス下ガイド１７及び除電ブラシ２０に相当する。
【００２８】
次に、エントランス下ガイド１７及び除電ブラシ２０を組み合わせた搬送ガイド３０について詳しく説明する。
【００２９】
図４は、本実施の形態の除電ブラシ２０の斜視図である。図４に示すように、本実施の形態の除電ブラシ２０は、板状のフレーム部２１と、フレーム部２１の長手方向に渡って、長手方向と垂直方向に配置されている複数の金属製の繊維２２とを有している。このフレーム部２１の材料としては、例えばアルミニウムを用いることが出来、繊維２２の材料としては、例えば、ステンレスを用いることが出来るが、導電性の材料であれば用いることが出来る。
【００３０】
図５は、除電ブラシ２０とエントランス下ガイド１７が組み合わせて構成される搬送ガイド３０を上方から見た斜視図である。又、図６（ａ）は、搬送ガイド３０を底面側から見た斜視図である。図６（ｂ）は、搬送ガイド３０の底面図である。
【００３１】
エントランス下ガイド１７は、ＰＥＴ（ポリエチレンテレフタレート）やＰＢＴ（ポリブチレンテレフタレート）等の耐熱性のポリエステル樹脂から形成されており、その用紙搬送面１７ａには、搬送方向に沿って形成されたリブ１７ｂが幅方向に複数配置されている。又、エントランス下ガイド１７は、その上流側の端１７ｃが下方に折れ曲がるように形成されている。尚、図５において用紙の搬送方向が矢印Ｘにて示されている。この用紙搬送面１７ａが、本発明のシートが搬送される面の一例に相当する。
【００３２】
又、図６（ａ）（ｂ）に示すように、除電ブラシ２０は、エントランス下ガイド１７の下流側の端１７ｄの裏面１７ｅに、繊維２２が下流側の端１７ｄから突出するように固定されている。尚、この裏面１７ｅが、本発明の反対側の面の一例に相当する。又、エントランス下ガイド１７の幅全域に渡って除電ブラシ２０が配置されているため、搬送されてくる用紙の幅方向全域に繊維２２が配置されていることになる。
【００３３】
この除電ブラシ２０の固定は、除電ブラシ２０のフレーム部２１が、裏面１７ｅに導電性テープ２３によって張り付けることによってなされている。尚、フレーム部２１と裏面１７ｅの間に両面テープを設けて、固定が補強されている。又、フレーム部２１はアルミニウム製であり、切断等が簡単であるので、エントランス下ガイド１７の裏面１７ｅに突起等があった場合でも、その形状に合わせて容易に加工することが出来る。
【００３４】
又、図３に示すように、エントランス下ガイド１７が定着下ローラフレーム１１２に取り付けられている状態において、金属製の定着下ローラフレーム１１２と接触するような位置に、導電性テープ２３がエントランス下ガイド１７に貼られている。例えば、図６（ａ）（ｂ）の導電性テープ２３の丸で囲われている部分Ｐで定着下ローラフレーム１１２と接触している。ここで、定着下ローラフレーム１１２は接地されているため、除電ブラシ２０も接地されていることになる。この導電性テープの一例としてはアルミニウムが挙げられる。なお、除電ブラシ２０のフレーム部２１が直接、定着下ローラフレーム１１２と接触する場合には、導電性でない通常のテープを用いても良い。
【００３５】
定着下ローラフレーム１１２にエントランス下ガイド１７が取り付けられた状態では、除電ブラシの繊維２２の先端（下流側）は、定着上ローラ１２と定着下ローラ１３のニップ部Ｎの入り口近傍に配置されており、ニップ部Ｎに侵入する用紙と接触するように配置されている。
【００３６】
以上のような構成の本実施の形態１の複写機の動作について説明する。
【００３７】
本実施の形態の複写機では、原稿読み取り部３によって読み取られた原稿に基づいて、各画像形成部６、７、８、９の感光体ドラム上にトナー画像が形成される（図１及び図２参照）。同時に、給紙カセット５から給紙された用紙が、マゼンダ画像形成部６の感光体ドラム６０と転写ローラ２６の間に搬送されてくる。
【００３８】
ここで、転写ローラ２６にはマイナスの電圧が印加されており、トナーはプラスに帯電している。この静電力と、ローラによる圧力により、感光体ドラム６０と転写ローラ２６の間を通過する用紙にトナー画像が転写される。続いて、用紙は転写ベルト１０によって搬送され、シアン画像形成部７、イエロー画像形成部８、及びブラック画像形成部９にて各色のトナー画像が転写される。
【００３９】
そして、用紙は、図３に示した導電性フィルム１９、エントランス下ガイド１７、及び除電ブラシ２０によって、その帯電が除去又は緩和され、定着上ローラ１２と定着下ローラ１３の間に搬送される。この定着部１１にて、用紙に転写されたトナー画像が定着され、トナー画像が定着された用紙は、排出口１４を通って排出トレイ４上に排出される。
【００４０】
本実施の形態の複写機では、除電ブラシ２０をエントランス下ガイド１７の下流側に配置する構成とすることにより、オフセット画像の発生を抑制することが出来る。
【００４１】
以下に、本発明に至った経緯を実験例とともに説明する。
【００４２】
背景技術で述べたように、従来の画像形成装置では、冬場にのみ、電気抵抗値が高い用紙を用いた場合、オフセット画像が発生する場合がある。
【００４３】
このような定着のオフセット画像と呼ばれる画像上の問題の発生要因としては、一般に定着ローラが設定より高温になり過ぎて用紙に融着させるべきトナーがローラ上に付着して発生する高温オフセット、又はトナーの融点よりも定着ローラが低温になってしまい未定着トナーがローラ上に付着して発生する低温オフセット、又は静電力によって発生する静電オフセット等が知られている。
【００４４】
そこで、除電ブラシ２０が設けられていない従来の画像形成装置について、定着温度の設定を上下させ、オフセット画像が発生するか否かの実験を行ったが、オフセット画像は発生しなかった。
【００４５】
そのため、上述のような高温オフセット及び低温オフセットとは別の要因で上記オフセット画像が発生していると考えられた。
【００４６】
そこで、静電力による静電オフセットが発生している可能性を検討するために、本発明者らは以下の実験を行った。
【００４７】
周囲環境条件１０℃、１５％ＲＨの下、除電部材を複数の異なる位置に設けた場合にオフセット画像が発生するか否かという点について検証が行われるとともに、トナー散りの観点からも検証が行われた。尚、除電部材としては、上述した除電ブラシ、ポリエチレンテレフタレート・ポリアミド微細繊維製不織布に導電性高分子ポリピロール被覆処理した除電シート（厚さ０．３ｍｍ、表面抵抗値３．０×１０５、体積抵抗値７．０×１０２）、又はＳＵＳ板を用いて実験を行った。
【００４８】
図７は、除電部材の取り付け位置を説明するための図である。図７に示すように、駆動ローラ１０１の下流側の位置Ａ、エントランス下ガイド１７の上流側の位置Ｂ、定着上ローラ１２に当接させる位置Ｃ、又はエントランス下ガイド１７の下流側の端の位置Ｄのいずれかに除電部材を設けた条件でオフセット画像の発生について検証した。更に、比較として、除電部材を設けない場合についても同様に検証を行った。尚、位置Ｄに設けた状態は、上記実施の形態で説明した状態に相当する。又、各位置に除電ブラシを配置した場合には、繊維２２（ブラシの毛部分）が、用紙に接触するように配置される。表１に、その検証結果を示す。又、通常用いられる用紙の表面電気抵抗は２．４×１０１２Ω／□であるが、この検証には、表面電気抵抗が７．６〜８．０×１０１３Ω／□である抵抗値の高い用紙が用いられている。
（表１）
2008209699.tif 000003
【００４９】
従って、上記実施の形態で説明したエントランス下ガイド１７の下流側の端に本発明の除電部材の一例として除電ブラシ又は除電シートを設けることによって、トナー散りの発生の程度が小さい状態で、オフセット画像の発生を回避することが可能となる。尚、図８に除電シート２４がエントランス下ガイド１７の下流側の端１７ｄに取り付けられている状態が示されている。この除電シート２４は、除電ブラシ２０と同様に裏面１７ｅに導電性テープによって固定されている。
【００５０】
又、このような実験結果から、電気抵抗値の高い用紙が静電オフセットを引き起こす原因について以下のように推察することが出来る。
【００５１】
用紙は、転写ベルト１０上を搬送されている際には、転写ローラによってマイナスに帯電していると考えられる。一方、転写ベルト１０は、樹脂ベルトの表面に、トナーのこびり付き防止のためにフッ素樹脂によるコーティングがなされているものである。
【００５２】
転写ベルト１０上を搬送されている用紙が、転写ベルト１０から離れる際には、フッ素樹脂表面との間で摩擦が生じると考えられる。図９は、帯電列の表を示す図である。図９に示す帯電列では、プラスに帯電しやすい材料を左側に、マイナスに帯電しやすい材料を右側に記載したものである。すなわち、図９に示す帯電列から２種類の材料を取り出して擦り合わせると、プラス側にある材料がプラスに帯電し、マイナス側にある材料がマイナスに帯電することになる。従って、図９に示すように、紙とテフロン（フッ素樹脂）を擦り合わせると、紙はプラスにフッ素樹脂はマイナスに帯電することになる。
【００５３】
そのため、転写ベルト１０上では、紙はマイナスに帯電しているが、転写ベルト１０から離れる際の摩擦により、紙の裏面はプラスに帯電することになると考えられる。すなわち、用紙裏面から転写ベルト１０に電子が移動すると考えられる。
【００５４】
一方、定着上ローラ１２及び定着下ローラ１３は表面がフッ素樹脂加工又はフッ素樹脂のチューブが被覆されているため、ローラの回転によって、表面にはマイナスの電荷が蓄積されている。
【００５５】
このような状態の定着部１１に、裏面がプラス帯電した状態で、用紙が侵入してくると、裏面のプラス帯電により用紙表面からトナーの一部が浮き上がり、ローラ表面のマイナス帯電との静電力により定着上ローラ１２に付着すると考えられる。
【００５６】
そして、定着上ローラ１２に付着されたトナーは、その表面で熱溶融され、ローラ表面に残り、ローラの回転により用紙下流側を汚すため、オフセット画像が発生すると考えられる。
【００５７】
次に、本発明により静電オフセットが防止される点について推察される原因を説明する。
【００５８】
エントランス下ガイド１７は、ＰＥＴ（ポリエチレンテレフタレート）又はＰＢＴ（ポリブチレンテレフタレート）等の耐熱性のポリエステル樹脂から形成されている。このポリエステル樹脂と紙を擦り合わせた場合、図９に示すように、ポリエステル樹脂がプラスに帯電し、紙がマイナスに帯電することが分かる。
【００５９】
従って、用紙裏面がエントランス下ガイド１７に接触することによって、エントランス下ガイド１７から電子が用紙裏面に移動し、用紙裏面のプラス帯電が緩和されると考えられる。
【００６０】
ここで、電気抵抗値の低い用紙の場合、部分的なエントランス下ガイド１７との接触により接触点から電子が用紙裏面に移動するため、用紙裏面のプラス帯電が緩和されると考えられる。しかしながら、抵抗値の高い用紙の場合、特に低湿度環境では、エントランス下ガイド１７との接触点を介して電子が用紙側に移動しにくいため、プラス帯電が緩和されにくいと考えられる。
【００６１】
このため、電気抵抗値の高い用紙では、静電オフセットが発生すると考えられます。
【００６２】
次に、除電部材を配置する位置が、転写ベルト１０に近い程、トナー散りが発生しやすい原因について推察される原因を説明する。
【００６３】
転写ベルト１０の下流端近傍（図７に示す位置Ａ）に除電部材を配置した場合、用紙裏面はエントランス下ガイド１７に接触していないため、接触した状態と比較するとプラス帯電が緩和されていない。このような状態で、用紙が除電部材と接触すると、高い電圧差となりスパークが発生し、用紙上の未定着のトナーが飛び散り、画像が乱れることになると考えられる。
【００６４】
一方、エントランス下ガイド１７の下流に除電部材を配置した場合、用紙裏面のプラス帯電は、エントランス下ガイド１７との接触により、少しは緩和されているためスパークが発生せず、トナー散りの発生も少ないと考えられる。
【００６５】
そして、残ったプラス帯電も、除電部材によって除去されるため、上述した本実施の形態の複写機では、低湿度状態であっても、静電オフセットは防止されると考えられる。
【００６６】
尚、以上の推察から、転写ベルト１０の表面が、フッ素樹脂に限らず紙よりも帯電列がマイナス側の材料によってコーティングされている場合には、静電オフセットが発生する可能性があると考えられる。このような場合に、本発明を適用することによってオフセット画像の発生を抑制出来る。
【００６７】
又、本実施の形態では、エントランス下ガイド１７の材料としてポリエステル樹脂を用いているが、ポリエステル樹脂と紙よりも帯電列の差が大きい、すなわち、ポリエステル樹脂よりも帯電列がプラス側の材料、例えば、ナイロン、ガラスなどを用いてもよい。このような材料を用いた場合、用紙裏面のプラス帯電が緩和されやすいと考えられる。尚、このような材料をフィルム状にして、エントランス下ガイド１７上に張り付けても良い。
【００６８】
又、上記実施の形態では、タンデム方式のカラー複写機の場合について説明したが、定着部に侵入する前に、用紙が帯電される構成の画像形成装置であれば、本発明を適用することによってオフセット現象の発生を抑制することが出来る。
【００６９】
このような用紙が帯電される構成の画像形成装置としては、例えば、１つの感光体ドラムと転写ローラによってトナー画像が転写された用紙が、搬送ベルトによって搬送されて、定着部に侵入するモノクロ複写機が相当する。この搬送ベルトの表面がテフロンコーティングされている場合、静電オフセットが発生しやすくなる。尚、この場合、本発明の転写部の一例は、転写ローラに相当し、本発明のベルトの一例は、搬送ベルトに相当する。
【００７０】
又、例えば、二次転写ローラと定着部の間に搬送ベルトが配置されている１ドラム方式のカラー複写機に対しても本発明を適用することが出来る。この場合、本発明の転写部の一例は、一次転写ローラ、中間転写ベルト、及び二次転写ローラに相当し、搬送ベルトが、本発明のベルトの一例に相当する。
【００７１】
これらの構成の搬送ベルトと定着部の間のガイドの下流側に、除電ブラシを設けることにより、静電オフセットを抑制することが出来る。又、搬送ベルトに限らず、搬送ローラであってもよい。
【産業上の利用可能性】
【００７２】
本発明の搬送ガイド及び画像形成装置は、オフセット現象の発生を抑制することが出来る効果を有し、複写機、ファクシミリ、プリンター等として有用である。
【図面の簡単な説明】
【００７３】
【図１】本発明にかかる実施の形態１における複写機の外観図
【図２】本発明にかかる実施の形態１における複写機の本体の正面断面図
【図３】本発明にかかる実施の形態１における複写機の定着部近傍の断面構成図
【図４】本発明にかかる実施の形態１における除電ブラシの斜視図
【図５】本発明にかかる実施の形態１における搬送ガイド３０を上方から見た斜視図
【図６（ａ）】本発明にかかる実施の形態１における搬送ガイド３０を下方から見た斜視図
【図６（ｂ）】本発明にかかる実施の形態１における搬送ガイド３０の底面図
【図７】実験において除電ブラシを設ける位置を説明するための断面構成図
【図８】本発明にかかる実施の形態１におけるエントランス下ガイドに除電シートが取り付けられている状態を上方から見た斜視図
【図９】帯電列を表す図
【符号の説明】
【００７４】
１  複写機
２  本体
３  原稿読み取り部
４  排出トレイ
５  給紙カセット
６  マゼンダ画像形成部
７  シアン画像形成部
８  イエロー画像形成部
９  ブラック画像形成部
１０  転写ベルト
１１  定着部
１２  定着上ローラ
１３  定着下ローラ
１４  排出口
１６  エントランス上ガイド
１７  エントランス下ガイド
１８  フレーム
１９  導電性フィルム
２０  除電ブラシ
２１  フレーム部
２２  繊維
【図１】
2008209699.tif 000004
【図２】
2008209699.tif 000005
【図３】
2008209699.tif 000006
【図４】
2008209699.tif 000007
【図５】
2008209699.tif 000008
【図６（ａ）】
2008209699.tif 000009
【図６（ｂ）】
2008209699.tif 000010
【図７】
2008209699.tif 000011
【図８】
2008209699.tif 000012
【図９】
2008209699.tif 000013